(57)【要約】  数値表現用感知システムが開示される。数値表現用感知システムは、出力信号を発生する複数の光学センサと、光学センサを保持する棒状体と、棒状体上を摺動して光学センサの光波に交差する摺動体と、光学センサの出力信号を受信し、その出力信号の固有の組合せを数字を表す識別子に変換するマイクロプロセッサと、を有する。
2019522267.tif 000002
【特許請求の範囲】
【請求項１】
それぞれが光波を発生し、前記光波の進路に物体が交差した際に出力信号を発生する複数の光学センサと、
前記複数の光学センサを相互に隣り合うよう設置した棒状体と、
それぞれが前記棒状体上を摺動可能であり、前記複数の光学センサの前記光波の進路に交差した際に、前記光学センサに出力信号を出力させる摺動体と、
前記複数の光学センサの前記出力信号を受信し、その出力信号の各固有の組合せを数字を表す識別子に変換するマイクロプロセッサと、
を有する数値表現用感知システム。
【請求項２】
前記複数の光学センサはそれぞれ、前記光波を発する第１部と前記光波を受信する第２部を有することを特徴とする請求項１に記載の数値表現用感知システム。
【請求項３】
前記光波は赤外線であることを特徴とする請求項１に記載の数値表現用感知システム。
【請求項４】
前記光波は可視光であることを特徴とする請求項１に記載の数値表現用感知システム。
【請求項５】
前記出力信号はアナログ信号であることを特徴とする請求項１に記載の数値表現用感知システム。
【請求項６】
前記出力信号はデジタル信号であることを特徴とする請求項１に記載の数値表現用感知システム。
【請求項７】
前記摺動体はそれぞれ、前記棒状体上を摺動できるようその中心部に穴を有するビーズ体であることを特徴とする請求項１に記載の数値表現用感知システム。
【請求項８】
前記進路への交差は、前記光波の遮断によるものであることを特徴とする請求項１に記載の数値表現用感知システム。
【請求項９】
前記進路への交差は、前記光波の反射によるものであることを特徴とする請求項１に記載の数値表現用感知システム。
【請求項１０】
前記各固有の組合せは、前記光学センサの位置に関連付けられたアナログ信号の組合せであることを特徴とする請求項１に記載の数値表現用感知システム。
【請求項１１】
前記各固有の組合せは、前記光学センサの位置に関連付けられたデジタル信号の組合せであることを特徴とする請求項１に記載の数値表現用感知システム。
【請求項１２】
前記識別子は、コンピュータシステムに入力されることを特徴とする請求項１に記載の数値表現用感知システム。
【請求項１３】
前記識別子は、デジタルディスプレイに入力されることを特徴とする請求項１に記載の数値表現用感知システム。
【請求項１４】
収容体内に配置された複数の棒状体であって、
それぞれが光波を発生し、前記光波の進路に物体が交差した際に出力信号を発生する複数の光学センサと、
それぞれが前記棒状体上を摺動可能であり、前記複数の光学センサの前記光波の進路に交差した際に、前記光学センサに出力信号を出力させる摺動体と、にそれぞれが接続された棒状体と、
前記複数の光学センサの前記出力信号を受信し、その出力信号の各固有の組合せを数字を表す識別子に変換するマイクロプロセッサと、
を有する数値表現用感知システム。
【請求項１５】
前記複数の光学センサはそれぞれ、前記光波を発する第１部と前記光波を受信する第２部を有することを特徴とする請求項１４に記載の数値表現用感知システム。
【請求項１６】
前記光波は赤外線であることを特徴とする請求項１４に記載の数値表現用感知システム。
【請求項１７】
前記光波は可視光であることを特徴とする請求項１４に記載の数値表現用感知システム。
【請求項１８】
前記出力信号はアナログ信号であることを特徴とする請求項１４に記載の数値表現用感知システム。
【請求項１９】
前記出力信号はデジタル信号であることを特徴とする請求項１４に記載の数値表現用感知システム。
【請求項２０】
前記摺動体はそれぞれ、前記棒状体上を摺動できるようその中心部に穴を有するビーズ体であることを特徴とする請求項１４に記載の数値表現用感知システム。
【請求項２１】
前記進路への交差は、前記光波の遮断によるものであることを特徴とする請求項１４に記載の数値表現用感知システム。
【請求項２２】
前記進路への交差は、前記光波の反射によるものであることを特徴とする請求項１４に記載の数値表現用感知システム。
【請求項２３】
前記各固有の組合せは、前記光学センサの位置に関連付けられたアナログ信号の組合せであることを特徴とする請求項１４に記載の数値表現用感知システム。
【請求項２４】
前記各固有の組合せは、前記光学センサの位置に関連付けられたデジタル信号の組合せであることを特徴とする請求項１４に記載の数値表現用感知システム。
【請求項２５】
前記識別子は、コンピュータシステムに入力されることを特徴とする請求項１４に記載の数値表現用感知システム。
【請求項２６】
前記識別子は、デジタルディスプレイに入力されることを特徴とする請求項１４に記載の数値表現用感知システム。
【発明の詳細な説明】
【技術分野】
【０００１】
[優先権]
本出願は、２０１６年５月１６日に出願され、発明の名称が「数値表現用感知システム」である米国仮出願  Ｎｏ．６２／３３６，７５２に基づく優先権を主張しており、当該米国仮出願は、全体として、本出願に、参照によって組み込まれる。
【０００２】
本発明の例示的な実施形態は、デジタル機器への数値入力の分野に関する。具体的には、本発明の例示的な実施形態は、数値表現用の感知システムに関する。
【背景技術】
【０００３】
デジタル機器に数値を入力することは、ユーザが様々なデジタル機器と情報のやりとりをする上で必須である。数値入力には、コンピュータのキーボード、携帯電話のキーボード、計算機のキーボード等が用いられる。こうした機器には、キーボード上に、０から１０までのうちの１つの数字に関連づけられたボタンがある。０から１０までの数字のうちの１つを入力するため、ユーザが複数のボタン、あるいは、対象物を利用できる入力機器はこれまで存在していない。
【０００４】
１０までの数字のうちのいずれかを入力する為に複数の対象物を利用できると、特に学生や若者の様々な学習、訓練、教育において役立つ。
【発明の概要】
【０００５】
本発明の一実施例では、それぞれが光波を発生し、光波の進路に物体が交差した際に出力信号を発生する複数の光学センサと、複数の光学センサを相互に隣り合うよう設置した棒状体と、それぞれが棒状体上を摺動可能であり、光学センサの光波の進路に交差した際に、光学センサに出力信号を出力させる摺動体と、複数の光学センサの出力信号を受信し、その出力信号の各固有の組合せを数字を表す識別子に変換するマイクロプロセッサと、を有する数値表現用感知システムを開示している。
【０００６】
本発明の別の実施例では、収容体内に配置された複数の棒状体であって、それぞれが光波を発生し、光波の進路に物体が交差した際に出力信号を発生する複数の光学センサと、それぞれが棒状体上を摺動可能であり、複数の光学センサの光波の進路に交差した際に、光学センサに出力信号を出力させる摺動体と、にそれぞれが接続された棒状体と、光学センサの出力信号を受信し、その出力信号の各固有の組合せを数字を表す識別子に変換するマイクロプロセッサと、を有する数値表現用感知システムを開示している。
【０００７】
本発明のさらなる特徴および利点は、以下の発明を実施するための形態、図面、および特許請求の範囲から明らかとなる。
【図面の簡単な説明】
【０００８】
本発明の例示的な実施形態は、以下の発明を実施するための形態、および、発明の様々な実施形態を示す添付図面によってより完全に理解できる。発明を実施するための形態、図面は、本発明の説明、理解のみを目的としており、本発明を特定の実施形態に限定するものではない。
【０００９】
【図１】感知装置の断面図であり、本発明の一実施形態による感知装置の主要部位を示すものである。
【００１０】
【図２】本発明の一実施形態による感知装置の正面図である。
【００１１】
【図３】本発明の一実施形態による感知装置の上面図である。
【００１２】
【図４】本発明の一実施形態による感知装置の等角図である。
【発明を実施するための形態】
【００１３】
以下の本発明の詳細な説明は一例にすぎず、何らかの限定を意図するものではないことは、当業者に理解されるものである。本発明のその他の実施形態は、ここに開示された効果を有することを当業者に容易に示唆するものである。以下に、添付図面に示された、本発明の例示的な実施形態の詳細を説明する。
【００１４】
図１は、本発明の一実施形態を示している。図示されるように、本発明は、第１光学センサ１０、棒状体５０上に設けられた第２光学センサ３０、および、棒状体５０上を摺動できるよう穴を有するビーズ体（bead）６０を有する。図の矢印２０は、ビーズ体６０が光波の進路に交差した際に反射されて光学センサへと戻る光波を示す。図の矢印４０は、ビーズ体やその他の物体に反射されない光波を示す。光波が反射されると、光学センサは、光波の反射を表す出力信号を入力する。図２〜４は、本発明を異なる方向から示す。
【００１５】
２個の光学センサは、マイクロプロセッサに接続され、そのマイクロプロセッサにおいて出力信号が受信され、出力信号の組合せにより数値を示す識別子に変換される。例えば、２個の光学センサの出力信号は、４つの選択肢のうちの１つを表すことができる。４つ選択肢があると、コンピュータシステムに、１から４までの４つの数字を表す４つの異なる入力が可能となる。
【００１６】
同一棒状体上の光学センサの数、ビーズ体の数を増やせば、マイクロプロセッサへの入力の組合せを増やすことができる。例えば、光学センサの数が７個で、ビーズ体の数が５個の場合、５個のビーズ体の位置の組合せにより、０から９までの数字を表すことができる。棒状体の数を増やせば、複数桁の数字を提供することができる。例えば、８個の棒状体を利用すれば、８桁の数字を提供することができる。
【００１７】
マイクロプロセッサの出力は、コンピュータ、計算機、タブレット、携帯電話等、デジタルディスプレイを有する様々な電子機器に利用することができる。
【００１８】
本発明の特定の実施形態を図示し、且つ、詳細に説明したが、本発明の実施形態およびその広範囲に及ぶ態様から逸脱することなく、本明細書中の教示事項に基づき変更、修正が可能であることは、当業者にとって自明である。よって、そのような変更、修正が本発明の例示的な実施形態の真の思想および範囲にあるものとして、添付の特許請求の範囲は、そのような変更、修正をその範囲に包含することを意図している。
【図１】
2019522267.tif 000003
【図２】
2019522267.tif 000004
【図３】
2019522267.tif 000005
【図４】
2019522267.tif 000006
【国際調査報告】
2019522267.tif 000007